(57)【要約】      （修正有）【課題】生産コストが低く、占用スペースも小さい給紙機構を提供する。【解決手段】フレーム１０と、駆動装置と、給紙ホイールユニット２０と、紙送りホイールユニット３０と、紙分けホイールユニット４０と、エネルギ貯蔵デバイス５０と、を備える。フレームの上には、送りを待つ紙を置く紙受け平面１１が設けられている。給紙ホイールユニットはフレームにピボットされている。紙送りホイールユニットは、フレームにピボットされるとともに、給紙ホイールユニットの下流に設けられている。駆動装置は、給紙ホイールユニットと紙送りホイールを順回転させて、紙をピックアップし、下流へ送り込む。紙分けホイールユニットと紙送りホイールユニットとはフレームの上にピボットされ、紙分けホイールユニットは紙送りホイールユニットに当接するとともに紙送りホイールユニットに連れて回動する。エネルギ貯蔵デバイスは紙分けホイールユニットとフレームの上に組立てる。【選択図】図６
0003216412.tif 000002
【実用新案登録請求の範囲】
【請求項１】
送りを待つ紙を置くための紙受け平面が設けられるフレームと、
前記フレームの上にピボットされ、一部が前記紙受け平面を露出させ、且つ前記送りを待つ紙に接触する給紙ホイールユニットと、
前記フレームの上にピボットされ、且つ前記給紙ホイールユニットの下流に設けられ、一部が前記紙受け平面を露出させる紙送りホイールユニットと、
前記フレームの上に装着され、前記給紙ホイールユニットと前記紙送りホイールユニットを順回転させて、表面が前記給紙ホイールユニットまたは前記紙送りホイールユニットに接触する紙をピックアップし、下流へ送り込む駆動装置と、
前記紙送りホイールユニットと相対的に前記フレームにピボットされている紙分けホイールユニットであって、前記紙分けホイールユニットは前記紙送りホイールユニットが紙受け平面を露出させる部分に当接し、前記紙送りホイールユニットに連れて回動し、前記紙送りホイールユニットに合わせて紙を分ける紙分けホイールユニットと、
前記紙分けホイールユニットと前記フレームに装着され、前記紙分けホイールユニットは紙送りホイールユニットに連れて回動する場合にエネルギを貯蔵させ、複数枚の紙を送ることが発生する場合にエネルギを開放させ、前記紙分けホイールユニットを逆回転させて、且つ手順によらずに送られた余剰の紙を戻すエネルギ貯蔵デバイスと、
を備える給紙機構。
【請求項２】
前記紙分けホイールユニットは、前記フレームの上にピボットされている紙分けホイール軸と、紙分けホイール軸の上にピボットされている紙分けローラーとを備え、前記紙分けローラーは紙送りホイールユニットの紙受け平面から露出している一部に当接する請求項１記載の給紙機構。
【請求項３】
前記エネルギ貯蔵デバイスはトルクスプリングであり、前記トルクスプリングは紙分けホイール軸に設けられるスプリングボディー部を有し、スプリングボディー部は紙分けローラーの一側にあり、スプリングボディー部の一端は紙分けホイール軸の一端に保持される第１スプリング脚を有し、スプリングボディー部の他端は前記フレームの上に保持される第２スプリング脚を有する請求項２記載の給紙機構。
【請求項４】
前記紙分けホイール軸の一端には第１固定軸が設けられ、前記第１固定軸外端の外周面には第１バンプが凸んで設けられ、前記第１バンプの上には固定溝が設けられ、前記第１スプリング脚は固定溝内に係着される請求項３記載の給紙機構。
【請求項５】
前記エネルギ貯蔵デバイスはテンションスプリングであり、前記テンションスプリングの一端には紙分けホイール軸の一端に保持される第１固定脚が有し、テンションスプリングの他端には前記フレームの上に保持される第２固定脚が有する請求項２記載の給紙機構。
【請求項６】
前記紙分けホイール軸の一端には第２固定軸が設けられ、前記第２固定軸外端の外周面には第２バンプが設けられ、前記第２バンプの上には固定穴が設けられ、前記第１固定脚は固定穴に設けられる請求項５記載の給紙機構。
【請求項７】
前記紙分けホイール軸の上にはさらにトルクリミッターが設けられ、前記トルクリミッターは紙分けローラーに係着され、前記トルクリミッターは紙分けホイール軸に保持と解放することができ、紙を送る場合、トルクリミッターは紙分けホイール軸に保持し、紙分けホイールユニットと紙分けホイール軸とともに回動し、紙分けホイールユニットと紙送りホイールユニット及び送り紙の摩擦力が所定値に達した後、トルクリミッターは紙分けホイール軸を解放させ、紙分けローラーは紙送りホイールユニットに連れて回動するが、紙分けホイール軸はそのまま相対的に固定に保持される請求項２記載の給紙機構。
【請求項８】
前記フレームの上にはストッパーが設けられ、前記ストッパーは駆動装置に接続され、駆動装置は紙受け平面に対して紙阻止位置と解放位置へ移動させるように前記ストッパーを駆動し、前記ストッパーは給紙ホイールユニットと紙送りホイールユニットと紙分けホイールユニットの間に設けられ、前記ストッパーが紙阻止位置へ移動する場合、送りを待つ紙を阻止し、前記ストッパーから給紙ホイールユニットまでの送りを待つ紙の接触点との距離がエネルギ貯蔵デバイスのエネルギ貯蔵のストロークよりも小さいまたは等しい請求項１記載の給紙機構。
【請求項９】
前記エネルギ貯蔵デバイスが初めてエネルギを貯蔵することは、ストッパーが解放位置へ移動する時に開始し、紙の先端が紙分けローラーに当たる前に完了する請求項８記載の給紙機構。
【考案の詳細な説明】
【技術分野】
【０００１】
本考案は、給紙機構に関し、特に事務装置の給紙機構に関する。
【背景技術】
【０００２】
図１〜図３を参照し、従来の給紙機構１００’は、フレーム１０’と、第１駆動装置２０’と、給紙ホイールユニット３０’と、紙送りホイールユニット４０’と、紙分けホイールユニット５０’と、を備える。フレーム１０’の上には、送りを待つ紙２００’を置くための紙受け平面１１’が設けられている。給紙ホイールユニット３０’は、フレーム１０’の上にピボットされ、一部が紙受け平面１１’を露出させ、且つ前記送りを待つ紙２００’に接触する。紙送りホイールユニット４０’は、フレーム１０’の上にピボットされ、且つ給紙ホイールユニット３０’の下流に設けられ、紙送りホイールユニット４０’の一部が紙受け平面１１’を露出させる。前記第１駆動装置２０’は、フレーム１０’の上に装着され、給紙ホイールユニット３０’と紙送りホイールユニット４０’に接続されている。第１駆動装置２０’は、給紙ホイールユニット３０’と紙送りホイールユニット４０’を順回転させて、表面は給紙ホイールユニット３０’または紙送りホイールユニット４０’に接触される紙２００をピックアップし、紙送り方向Ｆ’の下流へ送り込む。紙分けホイールユニット５０’と紙送りホイールユニット４０’は、フレーム１０’の上にピボットされ、紙分けホイールユニット５０’は紙送りホイールユニット４０’が紙受け平面１１’を露出させる部分に当接し、紙送りホイールユニット４０’に連れて回動する。
【０００３】
従来の給紙機構１００’は、正常に紙を取る時、複数枚の送りを待つ紙２００’の先端も紙分けホイールユニット５０’の表面に当接し、最下面にある紙Ａ１は、給紙ホイールユニット３０’と紙送りホイールユニット４０’に接触し、給紙ホイールユニット３０’と紙送りホイールユニット４０’を順回転させて、紙Ａ１をピックアップし、下流へ送りこむ。紙分けホイールユニット５０’と紙送りホイールユニット４０’によって、紙２００’に対し紙を分けてその他紙２００’を阻止し最下面にある紙Ａ１のみを通過させている。
【０００４】
ただ、紙２００’を紙受け平面１１’に置く場合または紙を取る過程中、上下に積み重ねになった複数枚の送りを待つ紙２００’の先端が互いにずらし、最下面にある紙Ａ１が紙送りホイールユニット４０’に接触しなくて給紙ホイールユニット３０’のみに接触する。紙を送る場合、紙送りホイールユニット４０’は、下表面が紙送りホイールユニット４０’に接触される紙Ａ２を先ず前へ送って、それとともに、給紙ホイールユニット３０’は、下表面が給紙ホイールユニット３０’に接触する紙Ａ１をピックアップし、前へ送って、紙送りホイールユニット４０’まで送り、その後、紙送りホイールユニット４０’には、紙Ａ１と紙Ａ２を同時に前へ送り、複数枚の紙送りが発生してしまう。
【０００５】
図４と図５を参照し、複数枚の紙送りが発生することを防止するために、従来別の給紙機構３００’には、さらに第２駆動装置６０’が設けられている。第２駆動装置６０’は紙分けホイールユニット５０’に接続され、紙分けホイールユニット５０’を逆回転し続けている。正常に紙を送る場合、紙分けホイールユニット５０’が逆回転し紙２００’を阻止し、最下面にあるＡ１のみを通過させて、複数枚の紙送りが発生する場合、紙分けホイールユニット５０’を逆回転し続けることによって、複数枚の紙送りが戻されて（紙Ａ１とＡ２の間の摩擦力よりも紙分けホイールユニット５０’と紙Ａ２の摩擦力が大きくなる。）、最下面にある紙Ａ１を通過させて、複数枚の紙送りが殆ど発生しない。
【０００６】
ただし、従来の給紙機構３００’は、もう一つの駆動装置を設ける必要があるので、製品の生産コストが高くなる。また、その給紙機構３００’は、より多くのスペースがとる必要がある。
【考案の概要】
【考案が解決しようとする課題】
【０００７】
本考案の目的は、上記の事情に鑑みてなされたもので、生産の要求を満足するように、生産コストが低く、占用スペースが小さい給紙機構を提供することである。
【課題を解決するための手段】
【０００８】
本考案は、上記目的を実現するために、フレームと、駆動装置と、給紙ホイールユニットと、紙送りホイールユニットと、紙分け給紙ホイールユニットと、エネルギ貯蔵デバイスと、を備える給紙機構を提供する。前記フレームには、送りを待つ紙を置く紙受け平面が設けられている。前記給紙ホイールユニットが、フレームの上にピボットされ、一部が紙受け平面を露出させ、且つ前記送りを待つ紙に接触する。前記紙送りホイールユニットが、フレームの上にピボットされ、且つ給紙ホイールユニットの下流に設けられ、一部が紙受け平面を露出させる。前記駆動装置は、フレーム上に装着され、給紙ホイールユニットと紙送りホイールユニットに接続されている。駆動装置は、給紙ホイールユニットと紙送りホイールユニットを順回転させて、表面が給紙ホイールユニットまたは紙送りホイールユニットに接触する紙をピックアップし、下流へ送り込む。前記紙分けホイールユニットは紙送りホイールユニットと相対的にフレームの上にピボットされ、紙分けホイールユニットは紙送りホイールユニットが紙受け平面を露出させる一部が当接し、紙送りホイールユニットに連れて回動し、紙送りホイールユニットに合わせて紙を分ける。前記エネルギ貯蔵デバイスは、紙分けホイールユニットとフレーム上に装着され、紙分けホイールユニットは、紙送りホイールユニットに連れて回動する場合にエネルギを貯蔵させ、複数枚の紙を送ることが発生する場合にエネルギを解放させ、紙分けホイールユニットを逆回転させ、且つ手順によらずに送りの余りの紙を戻すことができる。
【考案の効果】
【０００９】
上記のように、本考案に係る給紙機構は、紙分けホイールユニットとフレームの間に装着されるエネルギ貯蔵デバイスによって、紙分けホイールユニットは紙送りホイールユニットに連れて回動する場合にエネルギを貯蔵させる。複数枚の紙送りが発生する場合にエネルギを解放し、紙分けホイールユニットを逆回転させ、手順によらずに送りを行う余りの紙を戻すことができる。従って、複数枚の紙送りが発生することを防止できる。また、本考案に係る給紙機構は、生産のコストが低く、占用スペースも小さくなる。
【図面の簡単な説明】
【００１０】
【図１】紙を従来の第１種類の給紙機構に正常に置く模式図である。
【図２】紙を従来の第１種類の給紙機構に不正常に置く模式図である。
【図３】従来の第１種類の給紙機構が複数枚の紙送りを発生するときの模式図である。
【図４】従来の第２種類の給紙機構が複数枚の紙送りを発生するときの模式図である。
【図５】従来の第２種類の給紙機構の紙分けホイールユニットを逆回転させ、複数枚の紙送りを戻させるときの模式図である。
【図６】本考案に係る給紙機構の斜視図である。
【図７】本考案に係る給紙機構のエネルギ貯蔵デバイスの第１実施例を紙分けホイールユニットに組立てる斜視図。
【図８】本考案に係る給紙機構が紙を取る前の模式図である。
【図９】本考案に係る給紙機構が正常に紙を送るときの模式図である。
【図１０】本考案に係る給紙機構が不正常に紙を送るときの模式図である。
【図１１】図１０に示す本考案に係る給紙機構が不正常に紙を送るときの複数枚の紙送りを発生する模式図ある。
【図１２】本考案に係る給紙機構の紙分けホイールユニットを逆反転させ手順によらない余りの紙送りを戻す模式図である。
【図１３】本考案に係る給紙機構のエネルギ貯蔵デバイスの第１実施例を紙分けホイールユニットに組立てる斜視図である。
【考案を実施するための形態】
【００１１】
以下、本考案の技術内容、構造特徴、達成する目的及び効果を、実施例を挙げて、図を参照して詳しく説明する。
【００１２】
図６と図８を参照し、本考案に係る給紙機構１００は、フレーム１０と、給紙ホイールユニット２０と、紙送りホイールユニット３０と、紙分けホイールユニット４０と、エネルギ貯蔵デバイス５０と、駆動装置６０と、を備える。
【００１３】
図６と図８を参照し、フレーム１０には、上下に積み重ねた複数枚の送りを待つ紙２００が載置される紙受け平面１１が設けられている。給紙ホイールユニット２０がフレーム１０にピボットされている。給紙ホイールユニット２０は、一部が紙受け平面１１から露出しており、送りを待つ紙２００に接触する。紙送りホイールユニット３０は、フレーム１０にピボットされているとともに、給紙ホイールユニット２０の下流に設けられている。紙送りホイールユニット３０の一部は紙受け平面１１から露出している。
【００１４】
図８を参照し、駆動装置６０は、フレーム１０に装着されている。駆動装置６０は、給紙ホイールユニット２０と紙送りホイールユニット３０に接続され、給紙ホイールユニット２０と紙送りホイール３０を順回転させて、表面が給紙ホイールユニット２０または紙送りホイールユニット３０に接触する紙２００をピックアップし、紙送り方向Ｆの下流へ送る。
【００１５】
図６〜図８を参照し、紙分けホイールユニット４０と紙送りホイールユニット３０は、フレーム１０にピボットされている。紙分けホイールユニット４０は、紙送りホイールユニット３０の紙受け平面１１から露出している部分に当接し、紙送りホイールユニット３０に連れて回動し、紙分けホイールユニット４０と紙送りホイールユニット３０とで合わせて紙２００を分ける。具体的には、紙分けホイールユニット４０は、フレーム１０にピボットされている紙分けホイール軸４１と、紙分けホイール軸４１にピボットされている紙分けローラー４２と、を備える。紙分けローラー４２は紙送りホイールユニット３０の紙受け平面１１から露出している部分に当接する。紙分けホイール軸４１にはトルクリミッター４３が設けられている。トルクリミッター４３は紙分けローラー４２に係着され、トルクリミッター４３は紙分けホイール軸４１を保持と解放可能にする。トルクリミッター４３は、紙分けホイール軸４１を保持される場合、紙分けローラー４２が回動すると、紙分けホイール軸４１もそれに連れて回動する。トルクリミッター４３が紙分けホイール軸４１を解放すると、紙分けローラー４２が回動しても、紙分けホイール軸４１は連動しない。
【００１６】
図６を参照し、エネルギ貯蔵デバイス５０は、紙分けホイールユニット４０とフレーム１０に組立てられており、紙分けホイールユニット４０が紙送りホイールユニット３０に連れて回動する場合にエネルギを貯蔵する。エネルギ貯蔵デバイス５０は、複数枚の紙送りが発生する場合、エネルギを解放し、分けホイールユニット４０を逆回転させて手順によらない送りの余り紙送りを戻す。エネルギ貯蔵デバイス５０は、トルクスプリング、テンションスプリング、プレートスプリング、プレススプリング、等である。
【００１７】
図６〜図８を参照し、本実施例では、エネルギ貯蔵デバイス５０はトルクスプリング５１である。トルクスプリング５１は、紙分けホイール軸４１に設けられているスプリングボディー部５１１を有する。スプリングボディー部５１１は紙分けローラー４２の一側に配置されている。スプリングボディー部５１１は、その一端に、紙分けホイール軸４１に保持される第１スプリング脚５１２を有し、他端に、フレーム１０に保持される第２スプリング脚５１３を有する。紙分けホイール軸４１の一端に第１固定軸４１１が設けられている。第１固定軸４１１の外端の外周面には第１バンプ４１２が設けられている。第１バンプ４１２には固定溝４１３が設けられている。第１スプリング脚５１２は固定溝４１３に係着されている。
【００１８】
図６と図１３を参照し、他の実施例では、エネルギ貯蔵デバイス５０はテンションスプリング５２である。テンションスプリング５２の一端には、紙分けホイール軸４１の一端に保持される第１固定脚５２１を有し、テンションスプリング５２の他端にはフレーム１０に保持される第２固定脚５２２を有する。紙分けホイール軸４１の一端には第２固定軸４１１が設けられている。第２固定軸４１５の外端の外周面には第２バンプ４１２が設けられている。第２バンプ４１６には固定穴４１７が設けられている。第１固定脚５２１は固定穴４１７に固定されている。
【００１９】
図８を参照し、フレーム１０の上にはストッパー１２が装着されている。ストッパー１２は駆動装置６０に接続されている。駆動装置６０は、ストッパー１２を駆動し、ストッパー１２を紙受け平面１１の紙阻止位置と解放位置へ移動させる。ストッパー１２は、給紙ホイールユニット２０と紙送りホイールユニット３０及び紙分けホイールユニット４０の間に設けられている。ストッパー１２は紙阻止位置に移動すると、送りを待つ紙２００を阻止する。ストッパー１２から給紙ホイールユニット２０と送りを待つ紙２００までの接触点Ｐ１の距離Ｄは、エネルギ貯蔵デバイス５０のエネルギ貯蔵ストロークＧよりも小さいかまたは等しい。接触点Ｐ１は給紙ホイールユニット２０の表面の最上流箇所にあり、紙２００に接触する接触点てある。
【００２０】
図６〜図９を参照し、給紙機構１００の動作は次の通りである。まず、初期状態にする場合、ストッパー１２を紙阻止位置へ移動し、送り待つ複数枚の紙２００を阻止する。次に、紙を取るとき、ストッパー１２を解放する位置へ移動し、給紙ホイールユニット２０と紙送りホイールユニット３０を順回転させる。紙分けローラー４２は、給紙ホイールユニット２０に連れて回動する。給紙ホイールユニット２０と紙送りホイールユニット３０は、給紙ホイールユニット２０と紙送りホイールユニット３０に当接する紙Ｎ１をピックアップし下流へ送り込む。送り待つ複数枚の紙２００の先端は、それぞれ紙分けローラー４２の表面に当接し、紙送りホイールユニット３０と紙分けホイールユニット４０により、紙２００を分けて、余りの紙送りを阻止する。従って、紙Ｎ１のみが下流へ伝送する。エネルギ貯蔵デバイス５０は、ストッパー１２が解放する位置へ移動すると、エネルギの貯蔵を開始し、紙２００の先端が紙分けローラー４２に当たる前に完了する。本実施例では、正常に紙を送る場合、トルクリミッター４３は紙分けホイール軸４１を保持し、紙分けホイールユニット４０の紙分けローラー４２と紙分けホイール軸４１は紙送りホイールユニット３０の回動に連れて回動する。第１スプリング脚５１２と第２スプリング脚５１３によってトルクスプリング５１のスプリングボディー部５１１は圧縮され且つエネルギを貯蔵され、トルクスプリング５１が所定値までに圧縮される場合、紙分けローラー４２が回動しなくなり、紙送りホイールユニット３０が順回転し続けて、紙送りホイールユニット３０は紙分けローラー４２に対して摩擦力を印加させて、紙分けホイールユニット４０と紙送りホイールユニット３０及び送りの紙２００の摩擦力が所定値に達した後、トルクリミッター４３が紙分けホイール軸４１を解放し、紙分けローラー４２が紙送りホイールユニット３０に連れて回動するが、紙分けホイール軸４１が固定に保持される。正常に紙を送る場合、エネルギ貯蔵デバイス５０はエネルギを解放させない。
【００２１】
図６、図８、図９、及び図１３を参照し、第２実施例には、本考案に係る給紙機構１００は正常に紙を送る場合、トルクリミッター４３と紙分けホイール軸４１によって紙分けホイールユニット４０の紙分けローラー４２と紙分けホイール軸４１は、ホイールユニット３０に連れて回動させている。第１固定脚５２１と第２固定脚５２２によってテンションスプリング５２を引伸ばして且つエネルギを貯蔵する。テンションスプリング５２が所定値まで引伸ばした場合、紙分けローラー４２が回動せず、紙送りホイールユニット３０が順回転し続けて、紙送りホイールユニット３０は紙分けローラー４２に対して摩擦力を印加させて、紙分けホイールユニット４０と紙送りホイールユニット３０及び送りの紙２００の摩擦力が所定値に達した後、トルクリミッター４３が紙分けホイール軸４１を解放させて、紙分けローラー４２が紙送りホイールユニット３０に連れて回動させるが、紙分けホイール軸４１が固定に保持される。
【００２２】
図１０〜図１２を参照し、紙２００が不正常に置かれた状態で紙を送るとき、給紙ホイールユニット２０に当接する紙Ｎ１がその上方にある紙Ｎ２の上流に位置し、且つ紙送りホイールユニット３０に接触しないとする。紙を送るとき、給紙ホイールユニット２０と紙送りホイールユニット３０を回動させて、紙分けホイールユニット４０が紙送りホイールユニット３０に連れて回動させてエネルギを貯蔵させる。紙送りホイールユニット３０に連れて紙Ｎ２を下流に送り込み、給紙ホイールユニット２０は紙Ｎ２をピックアップし紙Ｎ１を下流に送り込み、紙Ｎ１を紙分けローラー４２と紙送りホイールユニット３０の当接点まで送り込む場合、紙Ｎ１は紙分けローラー４２に接触されている。この場合、紙Ｎ２は紙送りホイールユニット３０のみに接触しさらに紙分けローラー４２に接触しない。紙Ｎ１とＮ２間の摩擦力は紙分けローラー４２と紙Ｎ２間の摩擦力よりも小さくなる。摩擦力は所定値より小さいとき、紙分けローラー４２が紙送りホイールユニット３０に連れて回動し、トルクリミッター４３が紙分けホイール軸４１を保持し、エネルギ貯蔵デバイス５０（トルクスプリング５１、テンションスプリング５２、プレートスプリング、プレススプリング、…など）は、エネルギを解放し、紙分けホイール軸４１と紙分けローラー４２を逆回転させて、紙Ｎ２が滑って上流へ戻し、紙送りホイールユニット３０は最下面にある紙Ｎ１を下流へ伝送し続けている。エネルギ貯蔵デバイス５０のエネルギ貯蔵はストッパー１２から給紙ホイールユニット２０までの距離に、エネルギ貯蔵デバイス５０を確保し手順によらずに送り込まれた紙Ｎ２を紙分けローラー４２が紙２００を接触区の上流位置に戻す。異常の紙を送ることを解除した後、給紙機構１００は再度正常に給紙と紙送りの状態を行うように戻されてエネルギ貯蔵デバイス５０が次のエネルギ貯蔵を引き続き行う。
【００２３】
上記のように、本考案に係る給紙機構１００は、紙分けホイールユニット４０とフレーム１０の間にはトルクスプリング５１、テンションスプリング５２が設けられることによってエネルギ貯蔵デバイス５０とする。紙分けホイールユニット４０が紙送りホイールユニット３０に連れて回動する場合にエネルギを貯蔵させ、複数枚の紙送りが発生する場合、エネルギを解放させて紙分けホイールユニット４０を逆回転させて手順によらずに送り込まれた紙を戻させるので、複数枚の紙送りが発生することをしないようにする。また、本考案に係る給紙機構１００の生産コストが低く、占用スペースも小さくなる。
【符号の説明】
【００２４】
１００：給紙機構               
１０：フレーム
１１：紙受け平面               
１２：ストッパー
２０：給紙ホイールユニット            
３０：紙送りホイールユニット
４０：紙分けホイールユニット        
４１：紙分けホイール軸
４１１：第１固定軸                          
４１２：第１バンプ
４１３：固定溝                                 
４１５：第２固定軸
４１６：第２バンプ                          
４１７：固定穴                                 
４２：紙分けローラー                      
４３：トルクリミッター
５０：エネルギ貯蔵デバイス            
５１：トルクスプリング
５１１：スプリングボディー部        
５１２：第１スプリング脚
５１３：第２スプリング脚
５２：テンションスプリング
５２１：第１固定脚                          
５２２：第２固定脚
６０：駆動装置                                 
２００：紙
【図１】
0003216412.tif 000003
【図２】
0003216412.tif 000004
【図３】
0003216412.tif 000005
【図４】
0003216412.tif 000006
【図５】
0003216412.tif 000007
【図６】
0003216412.tif 000008
【図７】
0003216412.tif 000009
【図８】
0003216412.tif 000010
【図９】
0003216412.tif 000011
【図１０】
0003216412.tif 000012
【図１１】
0003216412.tif 000013
【図１２】
0003216412.tif 000014
【図１３】
0003216412.tif 000015